(57)【要約】      （修正有）【課題】ペン本体を上下に回転しなくても、タッチパネルにて直接スライドや押し当てて書くことのできるタッチペンの構造を提供する。【解決手段】ペン本体は、筒内部に一つの収納スペース１０００を設け、ペン軸の下部分１０の下方に固定部１０３を具有するペン先１００を設け、ペン先の固定部下方に上段部および下段部を具有する頭部１０４を設ける。少なくとも一つの昇降芯１３は、ペン本体の収納スペースに設置し、一つのスプリング１３１を套設してもよい。導電タッチカバー２は、ペン軸の下部分の頭部下段部１０４２に套設し、上方および中央にそれぞれ突出縁２１と昇降芯を出し入れする穴２２を設ける。口金３はペン軸の下部分下方に設置し、導電タッチカバーを固定する。口金の中央に、導電タッチカバーの下方突出および昇降芯が昇降するための傾斜穴３１を設け、上方内部には、ペン軸の下部分にある固定部と対応する内固定部３１１を設ける。【選択図】図１
0003187954.tif 000002
【実用新案登録請求の範囲】
【請求項１】
ペン本体、昇降芯および口金を含み、
本考案は特に指の代わりにタッチパネルを操作する際に用いるものを指し、
該ペン本体は、筒内部に一つの収納スペースを設け、該ペン本体に含まれるのは、互いに接続するペン軸の上部分と下部分であり、該下部分の下方に固定部を具有するペン先を設け、該ペン先の固定部の下方に上段部および下段部を具有する階段状の頭部を設け、頭部の上段部と下段部の間に一つの溝を設け、また、該頭部の下段部の下方に面取りを設置し、
少なくとも一つの昇降芯は、ペン本体の収納スペースに設置し、ペン軸の下部分に一つのスプリングを套設することもでき、
該導電タッチカバーは、ペン本体のペン軸の下部分の頭部の下段部に套設し、該導電タッチカバーの中央に、昇降芯を出し入れする穴を設け、該導電タッチカバーの上方に突出縁を設け、該突出縁はペン軸の下部分の頭部にある溝に対応し、
該口金はペン軸の下部分の下方に設置し、且つ導電タッチカバーを固定し、該口金の中央に、導電タッチカバーの下方突出および昇降芯が昇降するための傾斜穴を設け、該上方内部には、ペン軸の下部分にある固定部と対応する内固定部を設けることを特徴とするタッチペンの構造。
【請求項２】
前記ペン本体はノック式、或いは回転式、或いはその他の構造のペン本体とすることを特徴とする請求項１記載のタッチペンの構造。
【請求項３】
前記ノック式本体のペン軸の上部分の上方に一つのボタンを設け、該下方には外ねじを設け、接続するペン軸の下部分の上方に該外ねじに対応する内ねじを設けることを特徴とする請求項２記載のタッチペンの構造。
【請求項４】
前記回転式ペン本体のペン軸の上部分の下方に回転套合部を設け、接続するペン軸の下部分の上方には、当該回転套合部に対応する套設穴を設けることを特徴とする請求項２記載のタッチペンの構造。
【請求項５】
前記ペン本体のペン軸の下部分の固定部は外ねじとし、或いは固定できる如何なる構造とすることを特徴とする請求項１或いは請求項３或いは請求項４記載のタッチペンの構造。
【請求項６】
前記導電タッチカバーにある穴の形状は、円形或いはクロス形、或いはその他各種の形状とすることを特徴とする請求項１或いは請求項３或いは請求項４記載のタッチペンの構造。
【請求項７】
前記口金の内固定部は内ねじとし、或いはペン軸の下部分の下方にある固定部を固定する各種の構造とすることを特徴とする請求項５記載のタッチペンの構造。
【考案の詳細な説明】
【技術分野】
【０００１】
本考案はペンの構造に関し、特にペン本体を上下に回転しなくても、タッチパネルにて直接スライドや押し当てて書くことのできるタッチペンの構造に関する。
【背景技術】
【０００２】
従来技術のタッチパネルにてスライドしたり、押し当てて使用したりするタッチペンの構造は、ペン本体の上方にソフトクッションを固定し、ペン本体下方にあるスペース構造は、露出して使用するペンの芯を収納するために残さなければならないため、タッチパネルと接触するソフトクッションをペン本体の下方に設けることができないゆえに、従来技術のタッチペンは、回転式の構造に限られていた。上方にボタンを設けてペン先を繰り出す構造(ノック式)にしないことで、ソフトクッションを上方に設けて下方にペンの芯を露出することはできるが、タッチペンの構造は著しく制限されてしまう。また、ユーザーがタッチペンをタッチパネルと接触して使用する際、まず下方に芯を具有するペン本体を上下回転してペン本体上方に設けるソフトクッションを下に向ける必要がある。ユーザーがタッチパネルに表示する情報を紙にペンで書き記したい場合、もう一度ペン本体を上下回転して、ペン本体の芯を下に向けさせて紙に字を書く。更に、一般のペン本体の構造は、握りやすく、持ちやすく安定性を考慮した人間工学に適合させるため、ペン本体の上下外観構造にいずれも差異がある。従来技術のタッチペンは、書く機能およびタッチパネルに使用するソフトクッションの両方を兼ねるためには、ソフトクッションをペン本体の上方に設けるしかなく、ペン本体の下方に設置することが全くできない。よって、ユーザーがペン本体の上方にあるソフトクッションを使用するとき、書く際に持つペンの向きとちょうど反対となるため、人間工学に適合することができないほか、力を入れてペンを持つことができず、不安定且つ不快適な上に、ダメージを受けやすい。また、使用する際に、絶えず書きながらタッチパネルを使って情報を表示させたい場合、ペン本体をその都度上下に回転しなければならないため、使用する際に時間と労力を使うため大変不便であり、効率が悪く、実用性にも欠けることなどを鑑みて、更なる改善が必要であった。
【先行技術文献】
【特許文献】
【０００３】
【特許文献１】特開２００９−９８７０３号公報
【考案の概要】
【考案が解決しようとする課題】
【０００４】
前記公知構造の欠点を解決するため、本考案の第１の目的は、導電タッチカバーを昇降するペンの芯と同じ側に設けることで、ペン本体を上下に回転しなくても、タッチパネルに直接操作することができ、および紙に字を書くことができるタッチペンの構造を提供することにある。 
【０００５】
本考案の第２の目的は、有効的に使用する際のスムーズ性と便利性を高めるタッチペンの構造を提供することにある。
【０００６】
本考案の第３の目的は、握力と安定性を高めるタッチペンの構造を提供することにある。
【課題を解決するための手段】
【０００７】
従来技術のタッチパネルにてスライドしたり、押し当てて使用したりするタッチペンの構造は、ペン本体の上方にソフトクッションを固定し、ペン本体下方にあるスペース構造は、露出して使用するペンの芯を収納するために残さなければならないため、タッチパネルと接触するソフトクッションをペン本体の下方に設けることができないゆえに、従来技術のタッチペンは、回転式の構造に限られていた。上方にボタンを設けてペン先を繰り出す構造(ノック式)にしないことで、ソフトクッションを上方に設けて下方にペンの芯を露出することはできるが、タッチペンの構造は著しく制限されてしまう。また、ユーザーがタッチペンをタッチパネルと接触して使用する際、まず下方に芯を具有するペン本体を上下回転してペン本体上方に設けるソフトクッションを下に向ける必要がある。ユーザーがタッチパネルに表示する情報を紙にペンで書き記したい場合、もう一度ペン本体を上下回転して、ペン本体の芯を下に向けさせて紙に字を書く。更に、一般のペン本体の構造は、握りやすく、持ちやすく安定性を考慮した人間工学に適合させるため、ペン本体の上下外観構造にいずれも差異がある。従来技術のタッチペンは、書く機能およびタッチパネルに使用するソフトクッションの両方を兼ねるためには、ソフトクッションをペン本体の上方に設けるしかなく、ペン本体の下方に設置することが全くできない。よって、ユーザーがペン本体の上方にあるソフトクッションを使用するとき、書く際に持つペンの向きとちょうど反対となるため、人間工学に適合することができないほか、力を入れてペンを持つことができず、不安定且つ不快適な上に、ダメージを受けやすい。また、使用する際に、絶えず書きながらタッチパネルを使って情報を表示させたい場合、ペン本体をその都度上下に回転しなければならないため、使用する際に時間と労力を使うため大変不便であり、効率が悪く、実用性にも欠ける
【０００８】
上述の目的を解決するために、本考案はタッチペンの構造を提供するものである。本考案のタッチペン構造は、特に指の代わりにタッチパネルを操作する際に用いるものを指す。それに含まれるのは、ペン本体、少なくとも一つの芯、一つの導電タッチカバー、および口金である。  
【０００９】
前記ペン本体は、筒内部に一つの収納スペースを設け、該ペン本体に含まれるのは、互いに接続するペン軸の上部分と下部分であり、該下部分の下方に固定部を具有するペン先を設ける。該ペン先の固定部の下方に上段部および下段部を具有する階段状の頭部を設ける。頭部の上段部と下段部の間に一つの溝を設ける。
【００１０】
少なくとも一つの昇降芯は、ペン本体の収納スペースに設置し、ペン軸の下部分に一つのスプリングを套設することもできる。
【００１１】
前記の導電タッチカバーは、ペン本体のペン軸の下部分の頭部の下段部に套設する。該導電タッチカバーの中央に、昇降芯を出し入れする穴を設ける。該導電タッチカバーの上方に突出縁を設け、該突出縁はペン軸の下部分の頭部にある溝に対応する。
【００１２】
一つの口金はペン軸の下部分の下方に設置し、且つ導電タッチカバーを固定する。該口金の中央に、導電タッチカバーの下方突出および昇降芯が昇降するための傾斜穴を設け、該上方内部には、ペン軸の下部分にある固定部と対応する内固定部を設ける。
【００１３】
最良実施例として、本考案のペン本体はノック式、或いは回転式、或いはその他の構造のペン本体とする。
【００１４】
最良実施例として、ペン本体のペン軸の下部分の固定部は外ねじとし、或いは固定できる如何なる構造とする。
【００１５】
更に本考案の頭部の下段部の下方に面取りを設置する。
【００１６】
更に本考案のノック式本体のペン軸の上部分の上方に一つのボタンを設け、該下方には外ねじを設け、接続するペン軸の下部分の上方に該外ねじに対応する内ねじを設ける。
【００１７】
更に本考案の回転式ペン本体のペン軸の上部分の下方に回転套合部を設け、接続するペン軸の下部分の上方には、当該回転套合部に対応する套設穴を設ける。
【００１８】
最良実施例として、本考案の導電タッチカバーの材質は、シリコン或いは導電生地、或いはその他各種の材質とする。
【００１９】
最良実施例として、本考案の導電タッチカバーにある穴の形状は、円形或いはクロス形、或いはその他各種の形状とする。
【００２０】
最良実施例として、本考案の口金の内固定部は内ねじとする、或いはペン軸の下部分の下方にある固定部を固定する各種の構造とする。
【００２１】
前記の構造により、本考案はタッチパネルに使用する際、および文字を書く際に、その都度ペン本体を上下に回転する必要がなく、有効的にスムーズに使用することができ、便利性も高い。同時に握力と安定性を高めることができる。
【考案の効果】
【００２２】
本考案の構造により、タッチパネルに使用する際、および文字を書く際に、その都度ペン本体を上下に回転する必要がなく、有効的にスムーズに使用することができ、便利性も高い。同時に握力と安定性を高めることができる。
【図面の簡単な説明】
【００２３】
【図１】本考案における立体分解図である。
【図２】本考案における立体組合図である。
【図３】本考案における組立断面図である。
【図４】本考案の第二実施例の立体分解図である。
【図５】本考案の第二実施例の立体組立図である。
【図６】本考案の第二実施例の組立断面図である。
【図７】本考案を使ってタッチパネルに使用する実施例図である。
【図８】本考案の図３の芯が導電タッチカバーから出る実施例図である。
【図９】本考案の図６の芯が導電タッチカバーから出る実施例図である。
【図１０】本考案を使って紙に書く実施例図である。
【考案を実施するための形態】
【実施例】
【００２４】
本考案によるタッチペンの構造を明確に示すために図に沿って詳細な説明を行う。文中にて使用する図の主旨は説明のサポートであり、本考案実施後の実際の比例や配置ではなく、図の比例と配置関係により本考案の範囲を制限するものではない。図１、図２、図３、図４および図５、図６に示すのは、本考案における立体分解図、本考案における立体組合図、本考案における組立断面図および本考案の第二実施例の立体分解図、本考案の第二実施例の立体組立図、本考案の第二実施例の組立断面図である。本考案のタッチペン構造は、特に指の代わりにタッチパネルを操作する際に用いるものを指す。一つの最良実施例に含まれるのは、ペン本体１００００、少なくとも一つの芯１３、一つの導電タッチカバー２、および口金３である。
【００２５】
前記ペン本体１００００は、筒内部に一つの収納スペース１０００を設け、該ペン本体１００００に含まれるのは、互いに接続するペン軸の上部分１と下部分１０であり、該下部分１０の下方に固定部１０３を具有するペン先１００を設ける。本実施例の該ペン本体１００００のペン軸の下部分１０の固定部１０３は外ねじ１０３１としているが、それによって制限されることなく、固定できる如何なる構造であれば、全て本考案の範囲とする。該ペン先１００の固定部１０３の下方に上段部１０４１および下段部１０４２を具有する階段状の頭部１０４を設ける。頭部１０４の上段部１０４１と下段部１０４２の間に一つの溝１０４３を設ける。また、該頭部１０４の下段部１０４２の下方に、便利且つ楽に導入して組み立てることのできる面取り１０４４を設置する。また、本考案のペン本体１００００はノック式(図１、図２および図３に示すとおり)、或いは回転式(図４、図５および図６に示すとおり)、或いはその他の構造のペン本体とする。ノック式本体のペン軸の上部分１の上方に一つのボタン１１を設け、該下方には外ねじ１１１を設ける。図１、図２および図３に示すように、接続するペン軸の下部分１０の上方に該外ねじ１１１に対応する内ねじ１０１を設ける。また、図４、図５および図６に示すように、回転式ペン本体のペン軸の上部分１の下方に回転套合部１２を設け、接続するペン軸の下部分１０の上方には、当該回転套合部１２に対応する套設穴１０２を設ける。
【００２６】
前記の少なくとも一つの昇降芯１３は、ペン本体１００００の収納スペース１０００に設置し、ペン軸の下部分１０に一つのスプリング１３１を套設することもできる。
【００２７】
前記の導電タッチカバー２は、ペン本体１００００のペン軸の下部分１０の頭部１０４の下段部１０４２に套設する。該導電タッチカバー２の中央に、昇降芯１３を出し入れする穴２２を設ける。該導電タッチカバー２の上方に突出縁２１を設け、該突出縁２１はペン軸の下部分１０の頭部１０４にある溝１０４３に対応している。最良実施例として、本考案の導電タッチカバー２の材質は、シリコン或いは導電生地、或いはその他各種の材質のいずれを使用しても、本考案の範囲とする。また、本考案の導電タッチカバー２にある穴２２の形状は、円形或いはクロス形、或いはその他各種の形状とすることができ、全て本考案の範囲とする。
【００２８】
前記の一つの口金３はペン本体１００００のペン軸の下部分１０の下方に設置し、且つ導電タッチカバー２を固定する。該口金３の中央に、導電タッチカバー２の下方突出および昇降芯１３が昇降するための傾斜穴３１を設け、該上方内部には、ペン軸の下部分１０にある固定部１０３と対応する内固定部３１１を設ける。最良実施例として、本考案の内固定部３１１は内ねじ３１１１とするが、それにより本考案を制限することなく、ペン軸の下部分１０の下方にある固定部１０３を固定する各種の構造は、全て本考案の範囲とする。
【００２９】
図７、図８、図９および図１０に示すのは、本考案を使ってタッチパネルに使用する実施例図、本考案の図３の芯が導電タッチカバーから出る実施例図、本考案の図６の芯が導電タッチカバーから出る実施例図、および本考案を使って紙に書く実施例図である。図７に示すように、本考案を使ってタッチパネル４をスライドしたり、押し当てて使用したりする際、ペン本体１００００を手６で握り、突出したペンの口金３の導電タッチカバー２をタッチパネル４に触れるだけで使用することができる。本考案を使って紙５で文字を書きたい場合、図８に示すように、ペン本体１００００のペン軸の上部分１に設けるボタン１１を下向きに押すだけ良い。或いは、図９に示すように、ペン本体１００００のペン軸の上部分１の回転套合部１２にペン軸の下部分１０を套合し、手６でペン軸の上部分１或いは下部分１０を握り、直接回転をする。この時、図１０に示すように、ペン本体１００００内に設ける昇降芯１３を導電タッチカバー２の中央に設けた穴２２から出すことができる。使用しない場合は、ボタン１１を押す、或いはペン軸の上部分１或いは下部分１０を反対に回転するだけで、昇降芯１３を図１〜図３および図４〜図６に示すように元の位置に戻る。
【００３０】
上記の構造により、本考案はタッチパネル４に使用する際、および文字を書く際に、その都度ペン本体１００００を上下に回転する必要がなく、有効的にスムーズに使用することができ、便利性も高い。同時に握力と安定性を高めることができる。
【００３１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３２】
１００００  ペン本体
１０００    収納スペース
１  ペン軸の上部分
１１  ボタン
１１１  外ねじ
１２  回転套合部
１０  ペン軸の下部分
１００  ペン先
１０１  内ねじ
１０２  套設穴
１０３  固定部
１０３１  外ねじ
１０４  頭部
１０４１  上段部
１０４２  下段部
１０４３  溝
１０４４  面取り
１３  昇降芯
１３１  スプリング
２  導電タッチカバー
２１  縁部分
２２  穴
３  口金
３１  傾斜穴
３１１  内固定部
４  タッチパネル
５  紙
６  手
【図１】
0003187954.tif 000003
【図２】
0003187954.tif 000004
【図３】
0003187954.tif 000005
【図４】
0003187954.tif 000006
【図５】
0003187954.tif 000007
【図６】
0003187954.tif 000008
【図７】
0003187954.tif 000009
【図８】
0003187954.tif 000010
【図９】
0003187954.tif 000011
【図１０】
0003187954.tif 000012
【手続補正書】
【提出日】平成25年9月17日(2013.9.17)
【手続補正１】
【補正対象書類名】実用新案登録請求の範囲
【補正対象項目名】請求項２
【補正方法】変更
【補正の内容】
【請求項２】
前記ペン本体はノック式、或いは回転式とすることを特徴とする請求項１記載のタッチペンの構造。
【手続補正２】
【補正対象書類名】実用新案登録請求の範囲
【補正対象項目名】請求項５
【補正方法】変更
【補正の内容】
【請求項５】
前記ペン本体のペン軸の下部分の固定部は外ねじとすることを特徴とする請求項１或いは請求項３或いは請求項４記載のタッチペンの構造。
【手続補正３】
【補正対象書類名】実用新案登録請求の範囲
【補正対象項目名】請求項７
【補正方法】変更
【補正の内容】
【請求項７】
前記口金の内固定部は内ねじとすることを特徴とする請求項５記載のタッチペンの構造。
【手続補正書】
【提出日】平成25年10月19日(2013.10.19)
【手続補正１】
【補正対象書類名】実用新案登録請求の範囲
【補正対象項目名】請求項６
【補正方法】変更
【補正の内容】
【請求項６】
前記導電タッチカバーにある穴の形状は、円形或いはクロス形とすることを特徴とする請求項１或いは請求項３或いは請求項４記載のタッチペンの構造。